(57)【要約】【課題】錠剤、カプセルを破壊するおそれのない取り出し具を提供することである。さらに、多種多様なＰＴＰ包装薬剤に対応できる取り出し具であって、高齢者が簡便に片手でも取り扱うことができ、あわせて、誤飲防止という要請にも対応したものである。【解決手段】操作板に取り付けられた先端部にＲを有する三日月形状の押切部、薬剤ストッパー、一対の横ズレ防止板、一対の主台を備えた薬剤取出し具であって、操作板が回転することにより三日月形状の押切部が薬剤を押し出すことを特徴とする取出し具により達成される。更には、薬剤を挿入すると一対の横ズレ防止板が開き、薬剤を上部が傾斜したコの字型状の薬剤ストッパーと受け台、一対の横ズレ防止板、主台により固定することを特徴とする薬剤取出し具を手段とした。【選択図】図１
2015120527.tif 000002
【特許請求の範囲】
【請求項１】
操作板に取り付けられた先端部にＲを有する三日月形状の押切部、薬剤ストッパー、一対の横ズレ防止板、一対の主台を備えた薬剤取出し具であって、操作板が回転することにより三日月形状の押切部が薬剤を押し出すことを特徴とする薬剤取出し具
【請求項２】
薬剤を挿入すると、上部が傾斜したコの字型状の薬剤ストッパーと受け台で、薬剤の位置が固定されることを特徴とする請求項１記載の薬剤取出し具
【請求項３】
薬剤を挿入すると一対の横ズレ防止板が開き、薬剤を上部が傾斜したコの字型状の薬剤ストッパーと受け台、一対の横ズレ防止板、主台により固定することを特徴とする請求項１または２記載の薬剤取出し具
【請求項４】
一対の横ズレ防止板を備えたが主台が開閉板と開閉操作板により、薬剤の収納ドームの大きさに合わせて、主台の開閉の平行が維持されることを特徴とする請求項１から３のいずれかに記載の薬剤取出し具。
【発明の詳細な説明】
【技術分野】
【０００１】
本発明は、薬剤取出し具に関するもので、さらに詳しくは、ＰＴＰ包装薬剤から錠剤やカプセルを取り出す薬剤取出し具に関するものである。
【背景技術】
【０００２】
錠剤やカプセル等の内容物の包装形態として、内容物を収納する多数の収納ドームを表面側に設けた基材シートの裏面にアルミ箔層を貼着して、収納ドームを裏面側に向けて押圧することにより、収納ドーム内の内容物がアルミ箔層を破って内容物が押し出されるようにした、いわゆるＰＴＰ（ｐｒｅｓｓ ｔｈｒｏｕｇｈ ｐａｃｋ）包装体が広く用いられている。ＰＴＰ包装は、底面に適度の強度を有するアルミニウム箔層を張り付け、例えば、紙又は高分子樹脂フイルム等の硬質の基材上に錠剤やカプセル等を配置し、この錠剤やカプセルの上面を凸状に膨出した高分子樹脂フィルム等により被覆して錠剤やカプセルを独立に包装した収納包装である。このＰＴＰ包装は、錠剤やカプセルを被覆している樹脂フィルムの凸部を上から指先で押し付けると底面のアルミニウム箔層が破壊されて錠剤やカプセルを取り出すことができる包装である。近年薬剤はほとんどがこの形式に包装されている。このようなＰＴＰ包装は、親指等によって上から押圧すると底面のアルミニウム箔層が破れ、簡単に錠剤等を取り出すことができるような構造、強度になっている。
【０００３】
一方、誤飲の危険性から、誤飲の防止のため、ＰＴＰ包装は、例えば一列２錠で切り離すことができないようにし、１０錠、１４錠等を調剤している。また薬局でも誤飲防止のため１錠ずつに切らない・割らないなどの啓発をすすめている。
【０００４】
しかしながら、高齢者あるいは手の不自由な人にとっては、錠剤・カプセルを取出すことは必ずしも容易ではない。
【０００５】
かかる事情に鑑み、種々のＰＴＰ包装薬剤の押し出し器が提案されている。例えば、特許文献１には、片手でＰＴＰ包装の薬剤を持ち、もう一方の手で押し出し器を持つという形式のものである。かかる押し出し器は、筒体、基板、挟持板、弾力板、突起という構成要素からなり、手中に押し出し器を持ちＰＴＰ包装の薬剤の裏面薬剤部分を弾力板の突起が当接するように設置し、指で押圧することにより薬剤が筒体に放出されるものである。しかし、かかる押し出し器は、挟持板は上部中央をＵ字型に形成したもので、大きさ（薬剤の巾）の異なる薬剤が多数ある中でどの薬剤にも対応できるものではなく、両手で取り扱うことが必要で、薬剤の固定ということでは効果を発揮できなかった。
【０００６】
また、特許文献２には、打棒により錠剤、カプセルを打ち出すことが記載されているが、家庭用ジグザグミシンを使用するものであるので、高齢者等が簡便に扱えるものではなかった。
【０００７】
また、特許文献３、４には、バネの反発力でＶ字型の取り出し具では、押圧棒部（棒材）でＰＴＰ包装薬剤の包装上部からほぼ垂直に押圧し、薬剤を取り出すものである。上側部材とした側部材を押し込むという簡単な構造であるが、薬剤の包装を真上から押し出すものであること、薬剤を固定する手段がないこと等、多種多様なＰＴＰ包装薬剤に対応していなかった。また、高齢者が片手で扱うことができるものではないこと等改善すべき点が多かった。
【０００８】
また、特許文献５の取り出し具は、Ｕ字型板材の上部先端部に三角状の溝と凹状の溝をもった凸部を形成したもので、片手で簡単に操作できるものである。しかし、この取出し具では、特定の大きさの薬剤しか取り扱えない。また、下部の抜き型に薬剤をおいて片手で操作するためにはその構造から考えると、ＰＴＰ包装薬剤を１錠ずつに切らないと操作できない構造と考えられる。これでは誤飲防止という要請には応えられない。
【０００９】
また、特許文献６の取り出し具は、錠剤・カプセルを一時的に収納する筒体と、ＰＴＰ包装を破袋位置に案内するガイドストッパと、錠剤又はカプセルを押圧する突起を備えた揺動スナップ板とからなり、筒体は錠剤及びカプセルが通過する貫通孔を平坦な壁面に備え、ガイドストッパは、錠剤又はカプセルを貫通孔上に位置決めする縁部を有し、揺動スナップ板は錠剤用の突起及びカプセル用の突起を備え、弾性復帰するようになっている。手のひらの中に入り操作できるものである。しかし、一方の手で錠剤又はカプセルをつかみ、もう一方の手で取り出し具を操作するものである。また、揺動スナップ板と突起によるパンチング作用をなすために手の握力を必要とするので、高齢者、手の不自由な人等には取り扱いが容易ではない。さらに突起によるパンチングでは錠剤又はカプセルが破壊されるおそれがある。さらに、多種多様なＰＴＰ包装薬剤に対応していない。
【００１０】
また、特許文献７、８では、薬剤の収納ドーム内に収容された内容物を直接触れずにとりだすものである。しかし、特許文献７ではレバー部材の突起部で薬剤の上部から、特許文献８も、取り出し具で薬剤上部から垂直に押し出すものであり、使用によっては薬剤が破壊される可能性がなしとはいえない。
【先行技術文献】
【特許文献】
【００１１】
【特許文献１】実開昭６０−０１０７０９号公報
【特許文献２】実開平３−１２６１３６号公報
【特許文献３】実開平６−０８３０２９号公報
【特許文献４】実開平７−０３７１８３号公報
【特許文献５】登録実用新案３０１５１２８号公報
【特許文献６】登録実用新案３０４５７０１号公報
【特許文献７】特開２０１２−２４６０３５号公報
【特許文献８】特開２０１２−２４６０３６号公報
【発明の概要】
【発明が解決しようとする課題】
【００１２】
本発明は、前述した事情に鑑みてなされたものであって、その目的は、錠剤、カプセルを破壊するおそれのない薬剤取出し具を提供することである。さらに、多種多様なＰＴＰ包装薬剤に対応できる薬剤取出し具であって、高齢者が簡便に片手でも取り扱うことができ、あわせて、誤飲防止という要請にも対応したものを提供することである。
【課題を解決するための手段】
【００１３】
請求項１記載の、操作板に取り付けられた先端部にＲを有する三日月形状の押切部、薬剤ストッパー、一対の横ズレ防止板、一対の主台を備えた薬剤取出し具であって、操作板が回転することにより三日月形状の押切部が薬剤を押し出すことを特徴とする取出し具を手段とした。
【００１４】
また、請求項２記載の、薬剤を挿入すると、上部が傾斜したコの字型状の薬剤ストッパーと受け台で、薬剤の位置が固定されることを特徴とする請求項１記載の薬剤取出し具を手段とした。    
【００１５】
また、請求項３記載の、薬剤を挿入すると一対の横ズレ防止板が開き、薬剤を上部が傾斜したコの字型状の薬剤ストッパーと受け台、一対の横ズレ防止板、主台により固定することを特徴とする請求項１または２記載の薬剤取出し具を手段とした。
【００１６】
また、請求項４記載の、一対の横ズレ防止板を備えた主台が開閉板と開閉操作板により、薬剤の収納ドームの大きさに合わせて、主台の開閉の平行が維持されることを特徴とする請求項１から３記載のいずれかに記載の薬剤取出し具を手段とした。
【発明の効果】
【００１７】
本発明の薬剤取出し具は、錠剤、カプセルを破壊するおそれがない。また、多種多様なＰＴＰ包装薬剤に対応できる。さらに、高齢者が簡便に片手でも取り扱うことができる。あわせて、本発明の薬剤取り出し具は、ＰＴＰ包装薬剤を薬局等から受け取ったままの状態で使用することができるので、１包ずつに切り取る必要が無く、誤飲防止という要請にも対応している。
【図面の簡単な説明】
【００１８】
【図１】本発明の薬剤取出し具の一例である。
【図２】図１の側面図である。
【図３】図１の薬剤取出し具で押切部を作動させたときの側面図である。
【図４】本発明の薬剤取出し具本体の平面図と側面図である
【図５】押切部の側面図と平面図である
【図６】開閉板操作板の側面図と平面図である
【図７】主台、横ズレ防止板とスプリング止の側面図と平面図である
【図８】開閉操作板の作動状況を示す図（上から見た図）である
【図９】開閉操作板の作動状況を示す図（下から見た図）である
【図１０】本発明の薬剤取出し具にＰＴＰ包装薬剤を固定したところを示す図である。
【図１１】本発明の薬剤取出し具で薬剤が取り出されるところを示す図である。
【図１２】従来の押し出し方法を比較のため記載した図である。
【発明を実施するための形態】
【００１９】
以下、本発明を実施するための形態について、図面を参照し、本発明の薬剤取出し具を説明する。但し、図面で説明するのは本発明の一実施形態であり、本発明はその発明特定事項を備える限りにおいて当該装置及び方法を広く包含するものであり、以下の実施形態に限定されるものではない。
【００２０】
まず、図面に従い、本発明の薬剤取出し具を構成する部品について説明する。図１には、本発明の一実施形態にかかる薬剤取出し具の全体図を示す。本発明の薬剤取出し具は、操作板１、押切部２、本体３、ストッパー４，受台５，横ズレ防止板６、主台７、開閉板８等からなる。
【００２１】
図２は、図１で示した薬剤取出し具の側面図である。横ズレ防止板６は主台７に固定されている。操作板１はピンで本体３と結合していて、１２０度回転する。落とし穴１２は開放されている。図３は、図１で示した薬剤取出し具の操作板１が回転し、押切部２が作動した状態を示す側面図である。収納部１４は、操作板１が作動したとき、ストッパー４を収納する空間である。
【００２２】
次に、本発明の薬剤取出し具を構成する各部品について分解して説明する。図４では、本体３とそれにつながる部品を説明する。図４（ａ）は、本体３を下から見た平面図である。図４（ｂ）は、本体３の側面図で、本体はコの字型をしていて、本体上部にはストッパー４と受け台５からなる部分と接合して、本体下部には落とし穴１２の空間が開いている。ストッパー４と受け台５は、その側面が上部が傾斜したコの字型状となっている。ストッパー４は挿入口に向け下に傾斜する構造になっている。ストッパー４と受け台５によりＰＴＰ包装薬剤はその位置が固定される。図５は、操作板１、押切部２を説明する。操作板１は操作性から長方形の板状の形状をとる。なお、収納部１４は、ストッパー４と受け台５との収納を考え、操作性のために開いている空間である。押切部２は、先を０．２Ｒ〜０．４Ｒ処理した、好ましくは０．２５Ｒ〜０．３５Ｒ処理した三日月形状であり、その巾は３〜５ｍｍ、好ましくは３．５〜４．５ｍｍである。操作板１の巾は２５〜３５ｍｍ、好ましくは２８〜３２ｍｍで全体を統一した巾とすることが好ましい。
【００２３】
図６は、開閉板８と開閉操作板Ａ９、開閉操作板Ｂ１０、開閉操作板先端部１１について説明する。図６（ａ）は、Ａ方向からみた側面図、図６（ｂ）は、Ｂ方向からみた側面図である。図６（ｃ）に矢印でみる方向を示す。図６（ｃ）は、図２の主台７と開閉板８の間の図で、主台７を外した状態で開閉板８を示したものである。開閉操作板Ａ９はＶ字型であり、開閉操作板Ｂ１０はＸ字型である。二枚の板がピンで止められている。図１からみて、開閉操作板Ａ９は手前方に、開閉操作板Ｂ１０は後方に位置する。この位置は交換することはできない。
【００２４】
図７では、本体３に取り付けられている主台７、主台７と連動する横ズレ防止板６、スプリング止１３について説明する。主台７と横ズレ防止板６はそれぞれ２つで１組となる。主台７は、開閉板８に接続していて、図５で説明した開閉操作板Ａ９、開閉操作板Ｂ１０と連動する。横ズレ防止板６は、薬包挿入側に向けて上方にせり出していて幅が広くなる形状をとっている。この形状により、薬包（収納ドーム）を容易に挿入して、固定することができるという利点を有する。
【００２５】
図８、図９は、開閉操作板Ａ９、開閉操作板Ｂ１０の作用を示したもので、図８は上からみたもの、図９は下からみたものとなっている。横ズレ防止板６、主台７は、開閉操作板Ａ９、開閉操作板Ｂ１０に連動して左右に開く。開閉操作板Ｂ１０の先の部分は開閉操作板先端部１１となっている。開閉操作板Ａ９は、横に開くのみであるが、開閉操作板Ｂ１０は、Ｘ字型をしていて、その開閉操作板先端部１１の先端はＲを有する。図８（ａ）、図９（ａ）は、開閉操作板の作用により、横ズレ防止板６、主台７が閉じた状態を、図８（ｂ）、図９（ｂ）は、開閉操作板の作用により、横ズレ防止板６、主台７が開いた状態を表している。スプリング止１３は、スプリング又は弾性体１５を止める部品である。スプリング又は弾性体１５により、横ズレ防止板６、主台７は、例えば、その開閉巾が４ｍｍ〜１５ｍｍで調整される。
【００２６】
横ズレ防止板はその先端部は開いている。先端部はその間隔が１０〜２０ｍｍであり、押切り部が通過する場所ではその間隔は４〜１５ｍｍである。
【００２７】
図１０では、本発明の薬剤取出し具にＰＴＰ包装薬剤が固定される過程を示す。図１０（ａ）はＰＴＰ包装薬剤の模式図である。薬剤（カプセル）１７は、アルミ箔層１６、下層フイルム１８、上層フイルム１９から包装されている。収納ドーム２０は薬剤（カプセル）１７を収納する空間である。図１０（ｂ）は、ＰＴＰ包装薬剤を本発明の薬剤取出し具に固定する過程を示す平面図である。横ズレ防止板６は、その先端部は開いていて、ＰＴＰ包装薬剤が挿入されるに従い、収納ドーム２０の巾に応じて、矢印の方向に開く。ＰＴＰ包装薬剤は収納ドーム２０の先端部がストッパー４に当たる位置で固定される。横ズレ防止板６は、４ｍｍ〜１５ｍｍの巾で開閉するので、種々の大きさのＰＴＰ包装薬剤に対応できる。
【００２８】
なお、前記の通り、横ズレ防止板６は、薬包挿入側に向けて上方にせり出していて幅が広くなる形状をとっているので、挿入が容易であり、固定もしやすく薬剤を１薬包ずつ切り取る必要がない。図１０（ｂ）は、薬局から配布されたままの形で使用している状態を示している。以上のことから、本発明の薬剤取出し具は誤飲防止にも役立つ。
【００２９】
図１０（ｃ）は、ＰＴＰ包装薬剤を本発明の薬剤取出し具に挿入したところを示す側面図である。説明上部分図で示す。本発明の薬剤取出し具にＰＴＰ包装薬剤を挿入すると、ストッパー４でＰＴＰ包装薬剤の収納ドーム２０が固定される。薬剤が固定されるので本発明の薬剤取出し具は台の上に置いて片手で操作できる。操作板１を矢印の方向に操作すると、押切部２のＲを有する先端が収納ドーム２０の先端部２１に接触する。
【００３０】
図１１には、本発明の一例として、本発明の薬剤取出し具でＰＴＰ包装薬剤からカプセルが取り出される過程を示す図である。ＰＴＰ包装薬剤の状態を右に拡大して示す。図１０（ｃ）に続き、図１１（ａ）は操作板１を操作して、押切部２がＰＴＰ包装薬剤の先端部２１を押すところを示す。押切部２は、そのＲを有する先端から円弧の部分で収納ドームを押しへこませる。この作用で収納ドーム２０の下層及び上層フイルムはへこみ始める。図１１（ｂ）ではさらに操作板１を操作すると押切部２がその円弧の部分でＰＴＰ包装薬剤の先端部をさらに押しへこませた状態２２となる。それに応じて、ＰＴＰ包装薬剤のアルミ箔層１６の端２３が破れる。図１１（ｃ）では押切部２がその円弧の部分でさらに押し込んでいる状態を示す。押切部２により、収納ドームの先端部のへこみは拡大して、図１１（ｃ）の拡大した収納ドームの先端部２４のようになる。押切部２は三日月状の形をしていて、その円弧の部分で収納ドーム２０を押すので、薬剤（カプセル）１７は強く押されることが無い。押切部２の円弧部分は滑らかに接触するようにカプセルを押し出す。従って、本発明の薬剤取出し具は、カプセルを変形させまた破壊するおそれがない。薬剤（カプセル）１７は、アルミ箔層１６の端部が破壊され取り出される。なお、本発明では落とし穴１２に任意の受け台を取り付けることができるので、薬剤（カプセル）１７は受け台から取り出すことができる。
【００３１】
図１２は先行文献における突起を使用した取り出し具による薬剤の取り出しを模式的に示したものである。従来の取り出し方は、突起等を収納ドーム全体に垂直に押し当てるので、薬剤が破壊されるおそれがあること、収納ドーム２０のアルミ箔層１６全体が破壊されることを示している。
【００３２】
本発明ではＰＴＰ包装薬剤の先端のみを圧して薬剤（カプセル）１７を収納ドーム２０から押し出す。ＰＴＰ包装薬剤のアルミ箔層１６の端部のみが破壊され薬剤が取り出される。また、収納ドーム２０は先端部が押されるだけで全体が押されるので、カプセル、錠剤等の薬剤が破壊されるおそれはない。また、アルミ箔全体が破壊され、落とし穴１２にアルミ片が落ちることはない。
【符号の説明】
【００３３】
１    操作板
２    押切部
３    本体
４    ストッパー
５    受台
６    横ズレ防止板
７    主台
８    開閉板
９    開閉操作板Ａ
１０  開閉操作板Ｂ
１１  開閉操作板先端部
１２  落とし穴
１３  スプリング止
１４  収納部
１５  スプリング又は弾性体
１６  アルミ箔層
１７  薬剤（カプセル）
１８  下層フイルム
１９  上層フイルム
２０  収納ドーム
２１  収納ドームの先端部
２２  へこんだ収納ドームの先端部
２３  アルミ箔層の端
２４  へこみが拡大した収納ドームの先端部
【図１】
2015120527.tif 000003
【図２】
2015120527.tif 000004
【図３】
2015120527.tif 000005
【図４】
2015120527.tif 000006
【図５】
2015120527.tif 000007
【図６】
2015120527.tif 000008
【図７】
2015120527.tif 000009
【図８】
2015120527.tif 000010
【図９】
2015120527.tif 000011
【図１０】
2015120527.tif 000012
【図１１】
2015120527.tif 000013
【図１２】
2015120527.tif 000014
【手続補正書】
【提出日】平成26年10月29日(2014.10.29)
【手続補正１】
【補正対象書類名】特許請求の範囲
【補正対象項目名】全文
【補正方法】変更
【補正の内容】
【特許請求の範囲】
【請求項１】
薬剤取出し具が、本体にピンで結合した操作板、操作板に取り付けられた押切部、本体に取り付けられた２つ１組の主台、主台上に取り付けられた２つ１組の横ズレ防止板、本体に取り付けられたストッパーを備えた薬剤取出し具であって、
ＰＴＰ包装薬剤を２つ１組の横ズレ防止板の間に挿入すると、ストッパーでＰＴＰ包装薬剤の収納ドームが固定され、操作板が回転することにより、押切部のＲを有する先端が収納ドームの先端部に接触し、押切部のＲを有する先端から円弧の部分で収納ドームを押しへこませ、押切部の円弧部分によりＰＴＰ包装薬剤の先端部のみを圧してＰＴＰ包装薬剤のアルミ箔層の端部のみを破壊して薬剤が取り出されることを特徴とする薬剤取出し具。
【請求項２】
ＰＴＰ包装薬剤を２つ１組の横ズレ防止板の間に挿入すると、主台上に取り付けられた２つ１組の横ズレ防止板が開き、ＰＴＰ包装薬剤の収納ドームの位置が、ストッパーと２つ１組の横ズレ防止板により固定されることを特徴とする請求項１記載の薬剤取出し具
【請求項３】
２つ１組の主台が、主台に接続した開閉板と、開閉板にピンでとめられ開閉板の開閉を操作する開閉操作板とにより、本体に取り付けられていて、ＰＴＰ包装薬剤を２つ１組の横ズレ防止板の間に挿入すると、ＰＴＰ包装薬剤の収納ドームの巾に応じて、２つ１組の主台に接続された開閉板を、ピンでとめられた２枚の開閉操作板が開閉することで、開閉板に接続する２つ１組の主台が開閉し、連動して２つ１組の横ズレ防止板が４ｍｍから１５ｍｍの巾で開閉することを特徴とする請求項１または２に記載の薬剤取出し具
【請求項４】
本体とピンでとめられた２枚の開閉操作板が２組あって、そのうちの１組の開閉操作板の一端は開閉板にピンでとめられていて、もう一方の先端部が開閉板に作用することで、開閉板に接続した２つ１組の主台を開閉することを特徴とする請求項１から３のいずれかに記載の薬剤取出し具
【手続補正書】
【提出日】平成27年4月14日(2015.4.14)
【手続補正１】
【補正対象書類名】特許請求の範囲
【補正対象項目名】全文
【補正方法】変更
【補正の内容】
【特許請求の範囲】
【請求項１】
薬剤取出し具が、本体にピンで結合した操作板、操作板に取り付けられた押切部、本体に取り付けられた２つ１組の主台、主台上に取り付けられた２つ１組の横ズレ防止板、本体に取り付けられたストッパーを備えた薬剤取出し具であって、
ＰＴＰ包装薬剤を２つ１組の横ズレ防止板の間に挿入すると、ＰＴＰ包装薬剤の収納ドームの先端部がストッパーに当たる位置で固定され、操作板が回転することにより、押切部のＲを有する先端が収納ドームの先端部に接触し、押切部のＲを有する先端から円弧の部分で収納ドームを押しへこませ、押切部の円弧部分によりＰＴＰ包装薬剤の先端部のみを圧してＰＴＰ包装薬剤のアルミ箔層の端部のみを破壊して薬剤が取り出されることを特徴とする薬剤取出し具。
【請求項２】
ＰＴＰ包装薬剤を２つ１組の横ズレ防止板の間に挿入すると、主台上に取り付けられた２つ１組の横ズレ防止板が開き、ストッパーと２つ１組の横ズレ防止板により、ＰＴＰ包装薬剤の収納ドームの先端部がストッパーに当たる位置で固定されることを特徴とする請求項１記載の薬剤取出し具
【手続補正２】
【補正対象書類名】明細書
【補正対象項目名】００２９
【補正方法】変更
【補正の内容】
【００２９】
図１０（ｃ）は、ＰＴＰ包装薬剤を本発明の薬剤取出し具に挿入したところを示す側面図である。説明上部分図で示す。本発明の薬剤取出し具にＰＴＰ包装薬剤を挿入すると、ストッパー４でＰＴＰ包装薬剤の収納ドーム２０の先端部がストッパーに当たる位置で固定される。薬剤が固定されるので本発明の薬剤取出し具は台の上に置いて片手で操作できる。操作板１を矢印の方向に操作すると、押切部２のＲを有する先端が収納ドーム２０の先端部２１に接触する。